(57)【要約】【課題】構造の簡単化と取り扱いの容易化とを図る。【解決手段】パチンコ遊技機が遊技機設置構造体に取り付けられる場合、固定枠２が遊技機設置構造体の上横木４６と下横木４７との間の空間に収容され、釘４４が上横片２２の下方から釘逃避孔２８を経由させつつ上固定部材１６および上横木４６に打ち込まれ、釘４５が下横片２３の上方から釘逃避孔３３を経由させつつ下固定部材１７および下横木４７に打ち込まれ、パチンコ遊技機が貨物自動車で運搬される場合、パチンコ遊技機が貨物自動車の荷台４８に載せられた後、作業者が当板１９を持ち上げ、板側係合部材２０を固定枠２の側に向けて枠側係合部材１８の上に重ね合わせ、当板１９を上から下に押圧すると、枠側係合部材１８のファスナ掛止子と板側係合部材２０のファスナ掛止子とが互いに絡み合うように係合する。【選択図】図１
2008079666.tif 000002
【特許請求の範囲】
【請求項１】
釘の打ち込み不可能な材料からなる固定枠の上横片の上には釘の打ち込み可能な材料からなる上固定部材が設けられ、釘の打ち込み不可能な材料からなる固定枠の下横片の下には釘の打ち込み可能な材料からなる下固定部材が設けられ、上固定部材には枠側係合部材が設けられたことを特徴とする遊技機枠。
【発明の詳細な説明】
【技術分野】
【０００１】
本発明は、構造が簡単で取り扱いが容易な遊技機枠に関する。
【背景技術】
【０００２】
遊技機保持装置は、遊技機製造会社から遊技店に販売される遊技機を貨物自動車で運搬する場合、複数の遊技機が荷崩れしないようにするものであって、種々の構造のものが提案されている。しかしながら、いずれも、構造が複雑で取り扱いが面倒であって、採用し難いという欠点がある。
【特許文献１】特開平７−１８５０９４号公報
【特許文献２】特開平８−１０７９７７号公報
【特許文献３】特開２００１−３４０５８６号公報
【特許文献４】特開２００２−１４３４１５号公報
【特許文献５】特開２００４−２６７４３９号公報
【発明の開示】
【発明が解決しようとする課題】
【０００３】
発明が解決しようとする問題点は、構造が複雑で取り扱いが面倒であるという点である。
【課題を解決するための手段】
【０００４】
本発明に係る遊技機枠は、釘の打ち込み不可能な材料からなる固定枠の上横片の上には釘の打ち込み可能な材料からなる上固定部材が設けられ、釘の打ち込み不可能な材料からなる固定枠の下横片の下には釘の打ち込み可能な材料からなる下固定部材が設けられ、上固定部材には枠側係合部材が設けられたことを最も主要な特徴とする。
【発明の効果】
【０００５】
本発明に係る遊技機枠は、複数の遊技機枠が貨物自動車で運搬される場合、当板に設けられた枠側係合部材が貨物自動車の荷台に搭載された複数の遊技機枠における板側係合部材に重ね合わされて互いに絡み合うように係合することによって、構造が簡単で取り扱いが容易であるという利点があるうえ、釘が上横片の下方から上固定部材を経由して遊技機設置構造体に打ち込まれ、釘が下横片の上方から下固定部材を経由して遊技機設置構造体に打ち込まれることによって、遊技機枠が遊技機設置構造体に取り付けられるという利点がある。
【発明を実施するための最良の形態】
【０００６】
図１乃至図４は、発明を実施するための最良の形態である。図１のａ図は、パチンコ遊技機が遊技機設置構造体に取り付けられた構造を示す。図１のｂ図は、パチンコ遊技機が貨物自動車に搭載された構造を示す。図２は、パチンコ遊技機を示す。図３は、固定枠２を分解して示す。図４のａ図は、複数のパチンコ遊技機が貨物自動車の荷台４８に整列されて搭載された状態を示す。図４のｂ図は、荷台４８に搭載された複数のパチンコ遊技機が遊技機保持装置で倒れないように連結された状態を示す。本明細書において、「前」、「後」、「裏」、「左」、「右」、「上」、「下」の方向は、図２の状態に遊技機枠１を置いて矢印Ａで示す前側から見た場合に特定される方向である。「後」と「裏」とは同じ方向である。
【０００７】
図２を参照し、遊技機としてパチンコ遊技機を例として説明する。パチンコ遊技機の遊技機枠１は、固定枠２の前側に可動枠３を開閉可能に備え、可動枠３の前側に前扉４および皿構造体５を開閉可能に備える。固定枠２は遊技機設置構造体に取り付けるための外枠とも呼ばれる。可動枠３は、図外の遊技盤、図外の払出機構、図外の制御装置、図外の電源装置など遊技に必要な部品を取り付ける前枠とも呼ばれる。可動枠３は、左側に位置するヒンジ６を中心とし、固定枠２の前側で前側に開かれかつ後側に閉じられるように、片開き可能である。可動枠３の右側部には、施錠装置７と図外の複数のロック機構および図外のロック解除操作体が設けられる。
【０００８】
可動枠３には、図外の発射機構および図外の発射レールが、皿構造体５が閉じられた場合、皿構造体５で覆い隠される場所に設けられる。前扉４および皿構造体５は、個別に、左側に位置するヒンジ８を中心とし、可動枠３の前側で前側に開かれかつ後側に閉じられるように、片開き可能である。前扉４は、パネル枠とも呼ばれ、窓９および前パネル１０を備える。窓９は、前扉４に前後方向への貫通孔として設けられる。前パネル１０は、無色の合成樹脂または無色のガラスなど、光を透過する性質の有る材料から構成され、前扉４の裏面に取り付けられ、窓９を塞ぐ。皿構造体５は、受皿部１１および発射操作機構１２を、皿構造体５の前面から前側に突出した形態に備える。皿構造体５の裏面には、球供給口１３および球取入口１４が設けられる。固定枠２の下部前面には化粧部材１５が設けられる。
【０００９】
可動枠３が閉じられて固定枠２にロック機構で開閉不能に支持され、前扉４および皿構造体５が閉じられて可動枠３にロック機構で開閉不能に支持された状態において、遊技店の店員が図外のキープレート（鍵）を遊技機枠１の前側から施錠装置７の鍵穴に挿入し、当該キープレートを例えば右側に９０度回転操作すると、固定枠２と可動枠３とのロック機構による支持形態が解除される。この支持形態の解除後に、店員が可動枠３を前側に引くことによって、可動枠３はヒンジ６を中心として前側に片開きされる。また、店員が施錠装置１８の鍵穴に挿入されたキープレートを例えば左側に９０度回転操作すると、可動枠３と前扉４とのロック機構による支持形態が解除される。この支持形態の解除後に、店員が前扉４を前側に引くことによって、前扉４はヒンジ８を中心として前側に片開きされる。そして、少なくとも、前扉４が開けられ、図外の遊技盤が可動枠３の前側から内部に挿入されて取り付けられた後、可動枠３が閉じられて固定枠２に開閉不能に支持され、前扉４および皿構造体５が閉じられて可動枠３に開閉不能に支持されると、遊技盤の前面における遊技領域が遊技機枠１の前側から窓９および前パネル１０を経由して視認可能となる。
【００１０】
貨物自動車で運搬される複数のパチンコ遊技機を倒れないように連結したり、パチンコ遊技機をパチンコ遊技店の島と呼ばれる遊技機設置構造体に倒れないように取り付けられたりするために、固定枠２には、上固定部材１６と下固定部材１７および枠側係合部材１８が設けられる。固定枠２、上固定部材１６、下固定部材１７、枠側係合部材１８については、図３で詳述する。
【００１１】
貨物自動車で運搬される複数のパチンコ遊技機を倒れないように連結するための当板１９には、板側係合部材２０が設けられる。当板１９は、遊技機枠１に対し左右に分かれて使用されるように、複数設けられる。板側係合部材２０は、面ファスナにより構成される。具体的には、板側係合部材２０を構成する面ファスナは、ファスナ基盤からファスナ掛止子をＪ字形またはループ状に多数突出した形態であって、ファスナ掛止子が下側に向けられ、ファスナ基盤が当板１９の下面に粘着剤または接着剤などの貼付部材２１で固定される。これによって、板側係合部材２０は、当板１９の下面から下側に突出し、当板１９の下面に固定される。
【００１２】
図３を参照し、固定枠２、上固定部材１６、下固定部材１７、枠側係合部材１８の構造について説明する。固定枠２は、前後方向に貫通する方形な開口が上横片２２、下横片２３、左縦片２４、右縦片２５で囲まれ、方形な開口の下前部が幕板２６で塞がれた、額縁状に構成される。固定枠２は、金属や硬質合成樹脂など、釘の打ち込み不可能な材料からなる。金属としては、アルミニウム合金やマグネシウム合金などである。硬質合成樹脂としては、メラミンフェノールなどの熱硬化性樹脂、熱硬化性樹脂にガラスや金属などの繊維または粒あるいは粉末などの混合された配合樹脂などである。
【００１３】
上横片２２には、上収容部２７が設けられる。上収容部２７は、上方および前後に開口し、上横片２２の上面から下方に窪む、凹部として構成される。上収容部２７は、釘逃避孔２８および取付孔２９を備える。釘逃避孔２８は、上下方向への貫通孔として、左右に分かれ、上収容部２７の底部に２個設けられる。釘逃避孔２８は、釘４４の頭部が上下方向に通過可能な大きさである。取付孔２９は、上下方向への貫通孔として、釘逃避孔２８よりも左外側および右外側に位置し、上収容部２７の底部に２個設けられる。取付孔２９は、止ねじ３８の雄ねじ部が上下方向に通過可能であるものの、止ねじ３８の頭部が上下方向に通過不可能な大きさである。
【００１４】
上固定部材１６は、釘の打ち込み可能な合成樹脂または木材により構成され、上収容部２７に収容可能な大きさであって、上固定部材１６の下面が上収容部２７の底部の上面に接触されるように収容された場合、上固定部材１６の上面が上横片２２の上面よりも上方に突出しないかまたは上横片２２の上面と同一面を構成し、上固定部材１６が上横片２２よりも前後に突出せず、上固定部材１６の左右が上収容部２７の左右に接触するかまたは接触する程度となり、上固定部材１６が釘逃避孔２８および取付孔２９を上方から覆い隠す。
【００１５】
上固定部材１６には、取付孔３０および具収容部３１を備える。取付孔３０は、上固定部材１６が上収容部２７に収容された場合、上収容部２７の取付孔２９と位置が対応し、上下方向への貫通孔として、左右に分かれ、上固定部材１６に２個設けられる。取付孔３０は、止ねじ３８の雄ねじ部が上下方向に通過可能である。具収容部３１は、取付孔３０と同軸状に連続するように、上固定部材１６に２個設けられる。具収容部３１は、取付孔３０よりも直径が大きく、座金３９およびナット４０が収容可能な大きさであって、上固定部材１６の上面から下方に窪む、凹部として構成される。
【００１６】
上固定部材１６は、上横片２２に次ぎのように取り付けられる。上固定部材１６が上収容部２７に収容され、止ねじ３８のねじ部が上横片２２の下方から取付孔２９；３０を経由して具収容部３１に挿入され、座金３９が上横片２２の上方から具収容部３１に挿入されつつ止ねじ３８のねじ部に嵌め込まれ、ナット４０が上横片２２の上方から具収容部３１に挿入されつつ止ねじ３８のねじ部に締結される。これによって、止ねじ３８の頭部が上横片２２の下面に接触し、座金３９が具収容部３１の底部に接触し、止ねじ３８およびナット４０が上固定部材１６を上横片２２に固定する。
【００１７】
下横片２３には、下収容部３２が設けられる。下収容部３２は、下方および後方に開口し、下横片２３の下面から上方に窪む、凹部として構成される。下収容部３２は、釘逃避孔３３および取付孔３４を備える。釘逃避孔３３は、上下方向への貫通孔として、左右に分かれ、下収容部３２の底部に２個設けられる。釘逃避孔３３は、釘４５の頭部が上下方向に通過可能な大きさである。取付孔３４は、上下方向への貫通孔として、釘逃避孔３３よりも左外側および右外側に位置し、下収容部３２の底部に２個設けられる。取付孔３４は、止ねじ４１の雄ねじ部が上下方向に通過可能であるものの、止ねじ４１の頭部が上下方向に通過不可能な大きさである。
【００１８】
下固定部材１７は、釘の打ち込み可能な合成樹脂または木材により構成され、下収容部３２に収容可能な大きさであって、下固定部材１７の上面が下収容部３２の天井部の下面に接触されるように収容された場合、下固定部材１７の下面が上横片２２の下面よりも下方に突出せず、下固定部材１７が上横片２２よりも前後に突出せず、下固定部材１７の左右が下収容部３２の左右に接触するかまたは接触する程度となり、下固定部材１７が釘逃避孔３３および取付孔３４を下方から覆い隠す。
【００１９】
下固定部材１７には、取付孔３５および具収容部３６を備える。取付孔３５は、下固定部材１７が下収容部３２に収容された場合、下収容部３２の取付孔３４と位置が対応し、上下方向への貫通孔として、左右に分かれ、下固定部材１７に２個設けられる。取付孔３５は、止ねじ４１の雄ねじ部が上下方向に通過可能である。具収容部３６は、取付孔３５と同軸状に連続するように、下固定部材１７に２個設けられる。具収容部３６は、取付孔３５よりも直径が大きく、座金４２およびナット４３が収容可能な大きさであって、下固定部材１７の下面から上方に窪む、凹部として構成される。
【００２０】
下固定部材１７は、下横片２３に次ぎのように取り付けられる。下固定部材１７が下収容部３２に収容され、止ねじ４１のねじ部が下横片２３の上方から取付孔３４；３５を経由して具収容部３６に挿入され、座金４２が下横片２３の下方から具収容部３６に挿入されつつ止ねじ４１のねじ部に嵌め込まれ、ナット４３が下横片２３の下方から具収容部３６に挿入されつつ止ねじ４１のねじ部に締結される。これによって、止ねじ４１の頭部が下横片２３の上面に接触し、座金４２が具収容部３６の天井部に接触し、止ねじ４１およびナット４３が下固定部材１７を下横片２３に固定する。
【００２１】
枠側係合部材１８は、面ファスナにより構成され、上固定部材１６の上面に設けられる。具体的には、枠側係合部材１８を構成する面ファスナは、ファスナ基盤からファスナ掛止子をループ状またはＪ字形に多数突出した形態であって、ファスナ掛止子が上側に向けられ、ファスナ基盤が上固定部材１６の上面に粘着剤または接着剤などの貼付部材３７で固定される。これによって、枠側係合部材１８は、上固定部材１６の上面から上側に突出し、上固定部材１６の上面に固定される。
【００２２】
上固定部材１６、下固定部材１７、枠側係合部材１８、当板１９、図２の板側係合部材２０、図２の貼付部材２１、貼付部材３７が、遊技機保持装置を構成する。枠側係合部材１８を構成する面ファスナのファスナ掛止子がループ状の場合、板側係合部材２０を構成する面ファスナのファスナ掛止子はＪ字形である。枠側係合部材１８を構成する面ファスナのファスナ掛止子がＪ字形の場合、板側係合部材２０を構成する面ファスナのファスナ掛止子はループ状である。よって、上固定部材１６が上横片２２に設けられ、枠側係合部材１８が上固定部材１６に設けられ、板側係合部材２０が当板１９に設けられた状態において、板側係合部材２０が固定枠２の側に向けられて枠側係合部材１８の上に重ね合わされると、枠側係合部材１８のファスナ掛止子と板側係合部材２０のファスナ掛止子とが互いに絡み合うように係合する。
【００２３】
図１のａ図を参照し、パチンコ遊技機が遊技機設置構造体に倒れないように取り付けられる場合について説明する。パチンコ遊技機を遊技機設置構造体に取り付けるための作業者が、パチンコ遊技機の前扉４や皿構造体５を前側に向け、パチンコ遊技機の固定枠２の裏面を遊技機設置構造体の側に向け、固定枠２を遊技機設置構造体の前側から上横木４６と下横木４７との間の空間に収容し、固定枠２の下横片２３を下横木４７の上に搭載させる。これによって、上固定部材１６および枠側係合部材１８が上横片２２と上横木４６との間に挟まれ、下固定部材１７が下横片２３と下横木４７との間に挟まれる。その後、作業者が、釘４４を上横片２２の下方から釘逃避孔２８を経由させつつ上固定部材１６および上横木４６に打ち込み、釘４５を下横片２３の上方から釘逃避孔３３を経由させつつ下固定部材１７および下横木４７に打ち込む。これによって、パチンコ遊技機が遊技機設置構造体に倒れないように取り付けられる。上横木４６や下横木４７は、遊技機設置構造体のパチンコ遊技機を取り付けるための部材である。
【００２４】
釘逃避孔２８が釘４４の頭部を上下方向に通過可能な大きさに形成されているので、釘４４が上横片２２の下側から釘逃避孔２８を経由して上横木４６に打ち付けられた場合、釘４４の上横木４６に打ち込まれる衝撃が上横片２２に加えられることがなく、上横片２２が破損されることなく保護できるという利点がある。釘逃避孔３３が釘４５の頭部を上下方向に通過可能な大きさに形成されているので、釘４５が下横片２３の上側から釘逃避孔３３を経由して下横木４７に打ち付けられた場合、釘４５の下横木４７に打ち込まれる衝撃が下横片２３に加えられることがなく、下横片２３が破損されることなく保護できるという利点がある。
【００２５】
図１のｂ図を参照し、パチンコ遊技機が貨物自動車の荷台４８の上で倒れないように連結される場合について説明する。パチンコ遊技機を貨物自動車に積み込むための作業者が、パチンコ遊技機を荷台４８に載せる。その場合、遊技機枠１の下横片２３が荷台４８の上に搭載される。これによって、下固定部材１７が下横片２３と荷台４８との間に挟まれる。荷台４８に載せられるパチンコ遊技機は、固定枠２、可動枠３、前扉４、皿構造体５、図外の遊技盤、上固定部材１６、下固定部材１７、枠側係合部材１８を備え、遊技機製造会社から遊技店に販売される製品である。次に、作業者が当板１９を持ち上げ、板側係合部材２０を固定枠２の側に向けて枠側係合部材１８の上に重ね合わせ、当板１９を上から下に押圧すると、枠側係合部材１８のファスナ掛止子と板側係合部材２０のファスナ掛止子とが互いに絡み合うように係合する。これによって、遊技機枠１が倒れないように遊技機保持装置で連結される。
【００２６】
図４を参照し、複数のパチンコ遊技機を貨物自動車の荷台４８に積み込む場合について説明する。図４のａ図に示すように、作業者が、複数のパチンコ遊技機を荷台４８に載せる。その場合、遊技機枠１の下横片２３が荷台４８の側となるように、かつ、複数のパチンコ遊技機の前側が同じ方向に向くように、複数のパチンコ遊技機が互いに接触しないように離された縦置き状態で荷台４８に整列されて配置される。
【００２７】
次に、図４のｂ図に示すように、当板１９は、複数のパチンコ遊技機に差し渡される長さの帯板状の木材からなり、その下面に枠側係合部材１８を備える。そして、作業者が当板１９を持ち上げ、板側係合部材２０が固定枠２の側に向けて枠側係合部材１８の上に重ね合わされ、当板１９が上から下に押圧されると、枠側係合部材１８のファスナ掛止子と板側係合部材２０のファスナ掛止子とが互いに絡み合うように係合する。これによって、複数の遊技機枠１が互いに倒れないように遊技機保持装置で連結される。そして、１台のパチンコ遊技機または当板１９が貨物自動車の荷台４８に図外の連結具で固定されれば、パチンコ遊技機の荷崩れが適切に阻止される。
【００２８】
遊技機保持装置で連結された複数のパチンコ遊技機を運搬した貨物自動車が荷降ろし先に到着し、複数のパチンコ遊技機が荷台４８から荷降ろしされる場合、作業者が当板１９を左右方向の一方向である矢印Ｗの方向に回転させるように操作する。これによって、当板１９が当板１９の右縁部を中心として矢印Ｗの方向に回転するのに伴い、枠側係合部材１８のファスナ掛止子と板側係合部材２０のファスナ掛止子との係合が解除され、当板１９が遊技機枠１から取り外されて荷台４８の上に置かれ、複数のパチンコ遊技機が荷台４８から荷降ろしされる。簡単で取り扱いが容易であるという利点がある。板側係合部材２０が当板１９の下面に対し全面的に設けられているので、複数のパチンコ遊技機が荷台４８に整列されて搭載された後、板側係合部材２０が遊技機枠１の側に向けられて枠側係合部材１８の上に搭載されれば、枠側係合部材１８のファスナ掛止子と板側係合部材２０のファスナ掛止子とが互いに係合する。このため、複数のパチンコ遊技機を遊技機保持装置で倒れないように連結するための取り扱いが容易であるという利点がある。作業者が、複数のパチンコ遊技機を荷台４８から荷降ろしするために、当板１９を左右方向の一方向である図４のｂ図の矢印方向に回転するのに伴い、枠側係合部材１８のファスナ掛止子と板側係合部材２０のファスナ掛止子との係合が解除されるので、当板１９を複数のパチンコ遊技機から取り外すための取り扱いが容易であるという利点がある。
【産業上の利用可能性】
【００２９】
図５は、異なる第１の形態を示す。上横片２２が左右に分割され、上固定部材１６が分割された左の上横片２２と右の上横片２２とを連結し、下横片２３が左右に分割され、下固定部材１７が分割された左の下横片２３と右の下横片２３とを連結する構造である。具体的には、上横片２２は、上収容部２７の側部および取付孔２９を残した形態で左右に分割される。そして、止ねじ３８のねじ部が上横片２２の下方から取付孔２９；３０を経由して具収容部３１に挿入され、座金３９が上横片２２の上方から具収容部３１に挿入されつつ止ねじ３８のねじ部に嵌め込まれ、ナット４０が上横片２２の上方から具収容部３１に挿入されつつ止ねじ３８のねじ部に締結され、上固定部材１６が左の上横片２２と右の上横片２２とを互いに固定する。下横片２３は、下収容部３２の側部および取付孔３５を残した形態で左右に分割される。止ねじ４１のねじ部が下横片２３の上方から取付孔３４；３５を経由して具収容部３６に挿入され、座金４２が下横片２３の下方から具収容部３６に挿入されつつ止ねじ４１のねじ部に嵌め込まれ、ナット４３が下横片２３の下方から具収容部３６に挿入されつつ止ねじ４１のねじ部に締結され、下固定部材１７が左の下横片２３と右の下横片２３とを互いに固定する。よって、釘４４が上固定部材１６から図１のａ図の上横木４６に打ち込まれる場合、釘４４の上横木４６に打ち込まれる衝撃が上横片２２に加えられることがなく、釘４５が下固定部材１７から図１のａ図の下横木４７に打ち込まれる場合、釘４５の下横木４７に打ち込まれる衝撃が下横片２３に加えられることがない。
【００３０】
図６は、異なる第２の形態を示す。取付孔２９が上横片２２にねじ孔として構成され、止ねじ３８のねじ部が上横片２２の上方から具収容部３１を経由して取付孔２９に締結されることによって、止ねじ３８の頭部が具収容部３１に収容されて上横片２２よりも上方に突出しないので、図３のナット４０を省略することができる。図３の座金３９は、省略してもよいが、止ねじ３８の頭部と具収容部３１の底面との間に介在させてもよい。また、図示は省略するが、取付孔３４を下横片２３にねじ孔として構成され、止ねじ４１のねじ部が下横片２３の下方から具収容部３６を経由して取付孔３４に締結されることによって、止ねじ４１の頭部が具収容部３６に収容されて下横片２３よりも下方に突出しないので、図３のナット４３を省略することができる。図３の座金４２は、省略してもよいが、止ねじ４１の頭部と具収容部３６の底面との間に介在させてもよい。
【００３１】
図７は、異なる第３の形態を示す。上横片２２の上収容部２７には、位置決め部４９が凸状に設けられる。上固定部材１６には、位置決め部５０が凹状に設けられる。そして、上固定部材１６が上収容部２７に収容される場合、位置決め部４９と位置決め部５０とが互いに嵌め合わされることによって、上固定部材１６と上横片２２との取付位置が決定される。位置決め部４９が凹状で、位置決め部５０が凸状であってもよい。また、図示は省略するが、位置決め部４９に相当する位置決め部が下横片２３に設けられ、位置決め部５０に相当する位置決め部が下固定部材１７に設けられてもよい。
【００３２】
図８は、異なる第４の形態を示す。上横片２２には、位置決め部５１が上収容部２７より左側に連なる凹状に形成される。そして、上固定部材１６が上収容部２７に収容される場合、上固定部材１６の左端部が位置決め部５１に嵌め合わされることによって、上固定部材１６と上横片２２との取付位置が決定される。図示は省略するが、位置決め部５１が上収容部２７より右側に連なる凹状として上横片２２に形成されてもよい。また、位置決め部５１に相当する位置決め部が下収容部３２より左側または右側に連なる凹状として下横片２３に設けられてもよい。
【００３３】
図９は、異なる第５の形態を示す。ヒンジ逃避部５２が上固定部材１６に設けられ、ヒンジ逃避部５２がヒンジ６を逃げ、上固定部材１６が上横片２２の上面を全面的に覆うように、上固定部材１６が上横片２２の上に取り付けられてもよい。図示は省略するが、下固定部材１７が下横片２３の下面を全面的に覆うように、下固定部材１７が下横片２３の下に取り付けられてもよい。
【００３４】
パチンコ遊技機が遊技店の遊技機設置構造体に設置される場合、図３の枠側係合部材１８を上横片２２から取り外さなくても、取り外してもよい。図３の貼付部材３７としては、ポストイットに使用されるような、上横片２２の上面と平行な横方向の力には剥がれ難いが、上横片２２の上面と直交する縦方向の力には剥がれ易い物性を有する接着剤を使用すれば、パチンコ遊技機を遊技機設置構造体に設置する場合、枠側係合部材１８を固定枠２から容易に取り外すことができる。
【図面の簡単な説明】
【００３５】
【図１】ａ図はパチンコ遊技機の遊技機設置構造体への取付縦断面図、ｂ図はパチンコ遊技機の貨物自動車への搭載縦断面図（最良の形態）。
【図２】パチンコ遊技機の斜視図（最良の形態）。
【図３】固定枠の分解斜視図（最良の形態）。
【図４】ａ図はパチンコ遊技機の貨物自動車への搭載斜視図、ｂ図は貨物自動車に搭載されたパチンコ遊技機の連結斜視図（最良の形態）。
【図５】固定枠の分解斜視図（異なる第１の形態）。
【図６】固定枠の上部分解斜視図（異なる第２の形態）。
【図７】固定枠の上部分解斜視図（異なる第３の形態）。
【図８】固定枠の上部分解斜視図（異なる第４の形態）。
【図９】固定枠の上部分解斜視図（異なる第５の形態）。
【符号の説明】
【００３６】
１は遊技機枠、２は固定枠、３は可動枠、４は前扉、５は皿構造体、６はヒンジ、７は施錠装置、８はヒンジ、９は窓、１０は前パネル、１１は受皿部、１２は発射操作機構、１３は球供給口、１４は球取入口、１５は化粧部材、１６は上固定部材、１７は下固定部材、１８は枠側係合部材、１９は当板、２０は板側係合部材、２１は貼付部材、２２は上横片、２３は下横片、２４は左縦片、２５は右縦片、２６は幕板、２７は上収容部、２８は釘逃避孔、２９は取付孔、３０は取付孔、３１は具収容部、３２は下収容部、３３は釘逃避孔、３４は取付孔、３５は取付孔、３６は具収容部、３７は貼付部材、３８は止ねじ、３９は座金、４０はナット、４１は止ねじ、４２は座金、４３はナット、４４は釘、４５は釘、４６は上横木、４７は下横木、４８は荷台、４９は位置決め部、５０は位置決め部、５１は位置決め部、５２はヒンジ逃避部。
【図１】
2008079666.tif 000003
【図２】
2008079666.tif 000004
【図３】
2008079666.tif 000005
【図４】
2008079666.tif 000006
【図５】
2008079666.tif 000007
【図６】
2008079666.tif 000008
【図７】
2008079666.tif 000009
【図８】
2008079666.tif 000010
【図９】
2008079666.tif 000011